(57)【特許請求の範囲】
【請求項１】
被検体に複数方向からＸ線を照射するスキャンを行い、該被検体を透過した各方向からのＸ線より得られる投影データに基づいて該被検体のＸ線断層像を再構成するＸ線ＣＴシステムであって、
該Ｘ線ＣＴシステムを構成する所定の構成要素の近傍に設けられる冷却用ファンと、
該冷却用ファンを制御する制御手段と、
を備え、
該制御手段は、
通常の制御モードと騒音の程度を前記通常の制御モードよりも低くする制御モードとを含む複数の制御モードから、操作者により、スキャン毎に、選択的に指定可能とする制御モード指定手段と、
該制御モード指定手段により指定された制御モードに応じて、前記冷却用ファンの駆動を制御する駆動制御手段と、
前記制御モード指定手段により指定された制御モードに応じて、スキャン条件の設定可能範囲を規定する手段と
を備えることを特徴とするＸ線ＣＴシステム。
【請求項２】
前記制御モード毎に、前記冷却用ファンの速度に関する情報及びスキャン条件に関する情報が記憶された制御モードテーブルをさらに備え、
前記駆動制御手段は、前記制御モードテーブルに基づいて前記冷却用ファンの駆動を制御するものであり、
前記駆動制御手段は、前記制御モードテーブルに基づいて前記スキャン条件の設定可能範囲を規定するものである
ことを特徴とする請求項１に記載のＸ線ＣＴシステム。
【請求項３】
前記冷却用ファンは、複数設けられ、
前記制御モードテーブルは、前記複数の冷却用ファンそれぞれの速度に関する情報が記憶されているものであることを特徴とする請求項２に記載のＸ線ＣＴシステム。
【請求項４】
被検体に複数方向からＸ線を照射するスキャンを行い、該被検体を透過した各方向からのＸ線より得られる投影データに基づいて該被検体のＸ線断層像を再構成するＸ線ＣＴシステムの操作コンソールであって、
該Ｘ線ＣＴシステムを構成する所定の構成要素の近傍に設けられる冷却用ファンと、
該冷却用ファンを制御する制御手段と、
を備え、
該制御手段は、
通常の制御モードと騒音の程度を前記通常の制御モードよりも低くする制御モードとを含む複数の制御モードから、操作者により、スキャン毎に、選択的に指定可能とする制御モード指定手段と、
該制御モード指定手段により指定された制御モードに応じて、前記冷却用ファンの駆動を制御する駆動制御手段と、
前記制御モード指定手段により指定された制御モードに応じて、スキャン条件の設定可能範囲を規定する手段と
を備えることを特徴とするＸ線ＣＴシステムの操作コンソール。
【請求項５】
被検体に複数方向からＸ線を照射するスキャンを行い、該被検体を透過した各方向からのＸ線より得られる投影データに基づいて該被検体のＸ線断層像を再構成するＸ線ＣＴシステムの操作コンソールの制御方法であって、
該Ｘ線ＣＴシステムを構成する所定の構成要素の近傍に設けられる冷却用ファンを制御する制御工程を備え、
該制御工程は、
通常の制御モードと騒音の程度を前記通常の制御モードよりも低くする制御モードとを含む複数の制御モードから、操作者により、スキャン毎に、選択的に指定可能とする制御モードを指定する制御モード指定工程と、
前記制御モード指定工程で指定された制御モードに応じて、前記冷却用ファンの駆動を制御する駆動制御工程と、
前記制御モード指定工程で指定された制御モードに応じて、スキャン条件の設定可能範囲を規定する工程と
を有することを特徴とするＸ線ＣＴシステムの操作コンソールの制御方法。
【請求項６】
被検体に複数方向からＸ線を照射するスキャンを行い、該被検体を透過した各方向からのＸ線より得られる投影データに基づいて該被検体のＸ線断層像を再構成するＸ線ＣＴシステムの操作コンソール用の制御プログラムコードを格納する記憶媒体であって、
該Ｘ線ＣＴシステムを構成する所定の構成要素の近傍に設けられる冷却用ファンを制御する制御工程のプログラムコードを備え、
該制御工程のプログラムコードは、
通常の制御モードと騒音の程度を前記通常の制御モードよりも低くする制御モードとを含む複数の制御モードから、操作者により、スキャン毎に、選択的に指定可能とする制御モード指定工程のプログラムコードと、
前記制御モード指定工程で指定された制御モードに応じて、前記冷却用ファンの駆動を制御する駆動制御工程のプログラムコードと、
前記制御モード指定工程で指定された制御モードに応じて、スキャン条件の設定可能範囲を規定する工程のプログラムコードと
を有することを特徴とする記憶媒体。
【発明の詳細な説明】
【０００１】
【発明の属する技術分野】
本発明は、Ｘ線照射によって被検体のＸ線断層像を得るＸ線ＣＴ（Computerized Tomograpy ）システムおよびその操作コンソール並びにそれらの制御方法および記憶媒体に関し、特に、騒音制御の技術に関する。
【０００２】
【従来の技術】
Ｘ線ＣＴシステムは、Ｘ線管等の高熱を発する構成要素を具備するため、これらの構成要素の近傍やガントリカバーとよばれるハウジングの排気口の近傍等に冷却用ファンを取り付け、その冷却用ファンを高速回転させることにより効果的に放熱することを可能にしている。
【０００３】
その一方で、このような冷却用ファンは騒音を発生するという問題がある。騒音は、患者や操作者の不快を伴うにとどまらず、操作者の作業能率の低下を招いたり、患者の脈拍の増加、血圧の上昇等の悪影響をもたらすことがある。冷却用ファンの回転数を低く設定すれば騒音は減るものの、当然、放熱効果が落ちるため、使用可能なＸ線管電流や連続撮影枚数といったＸ線ＣＴシステムの基本性能を落とさざるを得ない。
【０００４】
従来より、このような問題の対応策として、または省電力化を目的として、システムの状態や撮影条件に基づいて回転数を自動制御する自動可変型の冷却用ファンを使用するものが知られている。
【０００５】
【発明が解決しようとする課題】
しかしながら、かかる自動可変型の冷却用ファンでは、冷却用ファンの回転数の変動に伴って騒音レベルも患者や操作者の思惑とは無関係に変動することになる。このような騒音レベルの変動は却って耳障りとなり、患者や操作者に与える悪影響の排除に寄与していない。
【０００６】
また、騒音に対する許容レベルは患者によって異なるため、患者ごとに騒音への配慮がなされるべきである。しかし、これまで、そのような配慮が可能なＸ線ＣＴシステムは存在しなかった。
【０００７】
本発明はかかる問題点に鑑みてなされたものであり、システムの安全性を確保しながら、発生する騒音レベルを制御することが可能なＸ線ＣＴシステムおよびその操作コンソール並びにそれらの制御方法および記憶媒体を提供することを目的とする。
【０００８】
【課題を解決するための手段】
上記目的を達成するため、例えば本発明のＸ線ＣＴシステムは、以下の構成を備える。すなわち、
被検体に複数方向からＸ線を照射するスキャンを行い、該被検体を透過した各方向からのＸ線より得られる投影データに基づいて該被検体のＸ線断層像を再構成するＸ線ＣＴシステムであって、該Ｘ線ＣＴシステムを構成する所定の構成要素の近傍に設けられる冷却用ファンと、該冷却用ファンを制御する制御手段と、を備え、該制御手段は、制御モードを指定する制御モード指定手段と、該制御モード指定手段により指定された制御モードに応じて、前記冷却用ファンの駆動を制御する駆動制御手段と、を備えることを特徴とする。
【０００９】
【発明の実施の形態】
以下、図面を参照して実施形態について詳細に説明する。
【００１０】
（システム構成）
図１は、実施形態にかかるＸ線ＣＴシステムのブロック構成図である。図示のように本システムは、被検体へのＸ線照射と被検体を透過したＸ線を検出するためのガントリ装置１００と、ガントリ装置１００に対して各種動作設定を行うとともに、ガントリ装置１００から出力されたデータに基づいてＸ線断層像を再構成し、表示する操作コンソール２００により構成されている。
【００１１】
ガントリ装置１００の各構成要素は、安全と体裁上の観点から、ガントリカバー１５０に覆われている。このガントリカバー１５０には内部の熱を放出するための吸気口１５０ａおよび排気口１５０ｂが形成されている。さらに、排気口１５０ｂの近傍には排気効率を高めるための排気口用ファン１７が設けられている。この排気口用ファン１７の駆動は、排気口用ファンコントローラ１７ｂで制御される排気口用ファンモータ１７ａにより行われる。
【００１２】
ガントリ装置１００は、その全体の制御をつかさどるメインコントローラ１をはじめ、以下の構成を備える。
【００１３】
２は操作コンソール２００との通信を行うためのインタフェース、３はテーブル１２上に横たえた被検体を搬送（図面に垂直な方向で以下、Ｚ軸ともいう）するための空洞部を有するガントリであり、内部には、Ｘ線発生源であるＸ線管４（Ｘ線管コントローラ５により駆動制御される）、Ｘ線の照射範囲を画定するためのスリットを有するコリメータ６、コリメータ６のＸ線照射範囲を画定するスリット幅の調整モータ７ａが設けられている。このモータ７ａの駆動はコリメータコントローラ７により制御される。
【００１４】
また、ガントリ３には、被検体を透過したＸ線を検出する検出部８、及び検出部８より得られたデータを収集するデータ収集部９も備える。Ｘ線管４及びコリメータ６と、検出部８は互いに空洞部分を挟んで、すなわち、被検体を挟んで対向する位置に設けられ、その関係が維持された状態でガントリ３のまわりを回動するようになっている。この回動は、回転モータコントローラ１１からの駆動信号により駆動される回転モータ１０によって行われる。また、被検体を乗せるテーブル１２は、Ｚ軸向への搬送がなされるが、その駆動はテーブルモータ１３によって行われる。
【００１５】
さらに、ガントリ３には、Ｘ線管４の近傍にＸ線管冷却用ファン１５が、データ収集部９の近傍にはデータ収集部冷却用ファン１６が設けられている。このＸ線管冷却用ファン１５の駆動は、Ｘ線冷却用ファンコントローラ１５ｂで制御されるＸ線管冷却用ファンモータ１５ａにより行われる。また、データ収集部冷却用ファン１６の駆動は、データ収集部冷却用ファンコントローラ１６ｂの制御の下でデータ収集部冷却用ファンモータ１６ａにより行われる。
【００１６】
メインコントローラ１は、インタフェース２を介して受信した各種コマンドの解析を行い、それに基づいて上記のＸ線管コントローラ５、コリメータコントローラ７、回転モータコントローラ１１、テーブルモータコントローラ１４、データ収集部９、Ｘ線管冷却用ファンコントローラ１５ｂ、データ収集部冷却用ファンコントローラ１６ｂ、そして、排気口ファンコントローラ１７ｂに対し、各種制御信号を出力することになる。また、メインコントローラ１は、データ収集部９で収集されたデータを、インタフェース２を介して操作コンソール２００に送出する処理も行う。
【００１７】
操作コンソール２００は、いわゆるワークステーションであり、図示するように、装置全体の制御を司るＣＰＵ５１、ブートプログラムやＢＩＯＳを記憶しているＲＯＭ５２をはじめ、以下の構成を備える。
【００１８】
ＲＡＭ５３は主記憶装置として機能するとともに、後述する騒音モードを記憶するための領域５３ａが確保されている。ＨＤＤ５４はハードディスク装置であって、ここにＯＳ、ガントリ装置１００に各種指示を与えたり、ガントリ装置１００より受信したデータに基づいてＸ線断層像を再構成するための診断プログラムをはじめ、後述する騒音制御プログラム、騒音モードテーブルが格納されている。また、ＶＲＡＭ５５は表示しようとするイメージデータを展開するメモリであり、ここにイメージデータ等を展開することでＣＲＴ５６に表示させることができる。５７及び５８は、各種設定を行うためのキーボード及びマウスである。
また、５９はガントリ装置１００と通信を行うためのインタフェースである。
【００１９】
（概要）
実施形態におけるＸ線ＣＴシステムの構成は概ね上記の通りである。かかる構成のＸ線ＣＴシステムにおいて、Ｘ線管４からのＸ線ビームを被検体に照射し、その透過Ｘ線を検出部８で検出する。そして、この透過Ｘ線の検出を、Ｘ線管４と検出部８を被検体の周囲を回転させながら複数のビュー方向で行う。このような透過Ｘ線の測定はスキャンと呼ばれている。そして、スキャンによって得られた複数ビューの検出データは、データ収集部９に収集されて投影データが作成され、メインコントローラ１を介して操作コンソール２００に転送される。操作コンソール２００は、転送された投影データに基づいて、Ｘ線断層画像を再構成し、ＣＲＴ５６に表示出力する。
【００２０】
上記したスキャン中、熱を発生するＸ線管４およびデータ収集部９は各々、Ｘ線管冷却用ファン１５およびデータ収集部冷却用ファン１６の駆動により冷却されるとともに、排気口用ファン１７によりガントリカバー１５０内の熱が強制的に放出される。かかる冷却機構によってシステムの動作安定性を確保しているが、一方で、これらのファンは騒音を発生する。
【００２１】
実施形態では、スキャン毎に、操作者の明示的な要求によってこれらのファンを制御し、発生する騒音を制御可能とする。これを実現するために、騒音を制御するための騒音モードを用意する。ここでは、騒音モードとして、「通常モード」、「低騒音モード」、「中間モード」の３つモードを用意するものとし、操作者は各モードを任意に選択することが可能である。もちろん、本発明は特定のモードの数によって限定されるものではない。各モードにおけるファンの回転および特定のスキャン条件の制限は、ＨＤＤ５４に格納されている騒音モードテーブルにより規定されている。操作者が騒音モードを選択すると、選択されたモードに対応するモード値が騒音モード記憶領域５３ａに記憶されるとともに、騒音モードテーブルの内容に基づいて、各ファンコントローラ１５ｂ、１６ｂ、１７ｂによって、各ファン１５乃至１７の回転が「高速」（例えば、４０００ｒｐｍ）／「低速」（例えば、２０００ｒｐｍ）のいずれかになるように制御される。そして、スキャン設定において、特定のスキャン条件については、この騒音モードテーブルに規定されている値以上の値を設定することができないようにする。
【００２２】
図２は、騒音モードテーブルの一例を示す図である。騒音モード記憶領域の内容“００”、“０１”、“１０”（いずれも２進値）は各々、通常モード、中間モード、低騒音モードに対応している。通常モードでは、各ファン１５、１６、１７のすべてを「高速」とし、設定可能な最大Ｘ線管電流は例えば４４０ｍＡ、最大スキャン画像枚数は例えば１２０枚に規定される。中間モードでは、Ｘ線管冷却用ファン１５を「高速」、データ収集部冷却用ファン１６および排気口用ファン１７を「低速」とし、設定可能な最大Ｘ線管電流は例えば３６０ｍＡ、最大スキャン画像枚数は例えば６０枚に規定される。また、低騒音モードでは、各ファン１５、１６、１７のすべてを「低速」とし、設定可能な最大Ｘ線管電流は例えば３００ｍＡ、最大スキャン画像枚数は例えば３５枚に規定される。このように、低騒音モードを選択すると、各ファンは低速で駆動制御されることになるためスキャン能力が制限されるようにテーブルの内容が規定されている。
【００２３】
（処理の内容）
次に、ガントリ装置１００の騒音を制御するための動作について、より詳しく説明する。
【００２４】
図３は、システムの電源投入後、ＨＤＤ５４にインストールされている診断プログラムによりスキャンを行うまでの処理の概略を示すフローチャートである。電源を投入するとＯＳが起動し（ステップＳ１）、その後、診断プログラムを起動する（ステップＳ２）。診断プログラムの起動は自動的に行うようにしてよいし、操作者からの要求によって起動させるようにしてもよい。診断プログラムは、ステップＳ３で、ＲＡＭ５３の騒音モード記憶領域５３ａの内容をリセットする（“００”（２進値）にセットする）。続いて、ステップＳ４に進み、騒音モードテーブルを参照して、現在の騒音モード（この場合はリセット直後であるから、“００”（２進値）に対応する通常モード）に対応する制御内容に従い、各ファンを制御する。以上の処理を経てＸ線ＣＴシステムがスタンバイ状態となる。次に、ステップＳ５で、診断プログラムは騒音制御プログラムをコールする。なお、騒音制御プログラムはこのように診断プログラムから自動的にコールされるが、使用者からの明示的な要求によってもコールすることが可能である。騒音制御プログラムが起動すると、ステップＳ６に進み、騒音モードを設定する。続くステップＳ７では、騒音モードテーブルを参照して、設定されたモードに対応する制御内容に従い、各ファンを制御する。その後、スキャン設定を行い（ステップＳ８）、スキャンを実行する（ステップＳ９）。
【００２５】
次に、図３のステップＳ６の騒音モードの設定について、詳しく説明する。
【００２６】
図４は、騒音モード設定の処理を示すフローチャートである。ステップＳ５（図３を参照）で騒音制御プログラムが起動すると、まずステップＳ６０１で、騒音モードを選択する。このとき例えば、図６に示すような騒音モード選択画面がＣＲＴ５６に表示される。操作者はこの選択画面上で、マウス５８またはキーボード５７を使用して所望の騒音モードを選択することができる。
【００２７】
次に、ステップＳ６０２に進み、選択された騒音モードが通常モードであるか否かを判定する。通常モードであれば、ステップＳ６０３に進み、騒音モード記憶領域５３ａに通常モードであることを示す“００”（２進値）を記憶して、騒音モード設定処理を終了する。通常モードでなければ、ステップＳ６０４に進み、選択された騒音モードが中間モードであるか否かを判定する。ここで、中間モードであったときは、ステップＳ６０５に進み、騒音モード記憶領域５３ａに中間モードであることを示す“０１”（２進値）を記憶して、騒音モード設定処理を終了する。また、ステップＳ６０４の判定が中間モードでなければ、ステップＳ６０６に進み、低騒音モードであるか否かを判定する。ここで、低騒音モードであったときは、ステップＳ６０７に進み、騒音モード記憶領域５３ａに低騒音モードであることを示す“１０”（２進値）を記憶して、騒音モード設定処理を終了する。また、ステップＳ６０６の判定が低騒音モードでなければ、そのまま処理を終える。以上の処理により騒音モードが選択され、その騒音モードが記憶された。
【００２８】
次に、図３のステップＳ８のスキャン設定処理について、詳しく説明する。
【００２９】
図５は、スキャン設定の処理を示すフローチャートである。まず、ステップＳ８０１で、現在の騒音モードに対応するスキャン制約条件を騒音モードテーブルより読み出す。次に、ステップＳ８０２で、操作者がスキャン条件を入力する。このとき例えば、図７に示すようなスキャン設定画面がＣＲＴ５６に表示され、操作者は各項目毎に所望の数値を入力していく。次に、ステップＳ８０３で、入力されたスキャン条件のうち、ステップＳ８０１で読み出したスキャン制約条件に適合しないものがあるかどうかを判定する。適合しない入力値がある場合には、ステップＳ８０４に進み、当該入力値を例えば赤色等の目立つ色で表示して操作者に注意を促し、ステップＳ８０２に戻る。操作者に注意を促すためであるから、このように表示色を変えるもののほか、警告音を発するようにしてもよいし、別の警告ウィンドウをポップアップ表示させるようにしてもよい。ステップＳ８０３において、スキャン制約条件に適合しない入力値がなければ、ステップＳ８０５に進み、この入力値でよければ、ステップＳ８０６に進み、修正の必要があればステップＳ８０２に戻る。ステップＳ８０６では、確定したスキャン条件をＲＡＭ５３に記憶して、このスキャン設定処理を終える。
【００３０】
以上説明したように、操作者の明示的な要求によって、発生する騒音レベルを制御することが可能である。また、騒音レベルの低く抑える場合には、各ファンの回転数を低く設定することになるため、設定可能なスキャン条件に制約が自動的に加えられるため、システムの安全を確保することができる。
【００３１】
（他の実施形態）
上記した実施形態は、ガントリ装置１００に備えられているＸ線管冷却用ファン１５、データ収集部冷却用ファン１６、および排気口用ファン１７の各々の回転数を制御する例であったが、排気効率をよりいっそう高めるために排気口用ファン１７および排気口用ファンモータ１７ａを複数個備えるシステムにおいては、各排気口用ファン１７の回転数ではなく、動作させる排気口用ファン１７の数量を制御するようにしてもよい。このような排気口用ファン１７を多数備えるシステムにおいては、Ｘ線管冷却用ファン１５、データ収集部冷却用ファン１６の制御は特に行わずに、各排気口用ファン１７の動作数量を制御するだけで十分な効果を奏する。
【００３２】
図８は、ガントリカバー１５０の上面図であり、排気口用ファン１７が１５個設けられていることを示している。図示はしないが、各排気口用ファン１７には対応する排気口用ファンモータ１７ａが設けられている。このように多数の排気口用ファン１７、排気口用ファンモータ１７ａを備えるシステムに対しても、上記した実施形態の如く、各ファンモータ１７ａに対して排気口用ファンコントローラ１７ｂを設け、回転数を制御することが可能であることは理解できよう。しかしながら、設けられるファンがこのように増えると、ファンの回転数制御およびその設定が複雑になる。そこで、排気口用ファン（排気口用ファンモータ）を小数のファンブロック（ファンモータブロック）にグループ化して、ファンブロック毎に動作のオン／オフを制御するようにする。
【００３３】
例えば、排気口用ファン１７に対応する各排気口用ファンモータ１７ａは、図９に示すように、両端列にある計６個のファンモータからなる１７ａ１と、中央部の９個のファンモータからなるファンモータブロック１７ａ２とにグループ化する。そして、図示のように、ファンモータブロック１７ａ１は、リレーＲ１を介して電源に接続されている。また、ファンモータブロック１７ａ２は、リレーＲ２を介して電源に接続されている。かかる構成によれば、リレーＲ１をＯＮにするとファンモータブロック１７ａ１に電源が供給され、対応する各ファンモータ１７ａが駆動する。リレーＲ１をＯＦＦにすれば、ファンモータブロック１７ａ１への電源は遮断され、対応する各ファンモータ１７ａの駆動が停止する。同様に、リレーＲ２をＯＮにするとファンモータブロック１７ａ２に電源が供給され、対応する各ファンモータ１７ａが駆動する。リレーＲ２をＯＦＦにすれば、ファンモータブロック１７ａ２への電源は遮断され、対応する各ファンモータ１７ａの駆動が停止する。
【００３４】
これら２つのリレーのＯＮ／ＯＦＦの組み合わせによって、例えば、「通常モード」と「低騒音モード」の、２つのモードを用意することができる。図１０は、この２つのモードの内容を示す騒音モードテーブルの一例を示す図である。騒音モード記憶領域の内容“０”、“１”（いずれも２進値）は各々、通常モード、低騒音モードに対応している。通常モードでは、リレーＲ１、Ｒ２の両方をＯＮとし、設定可能な最大Ｘ線管電流は例えば４４０ｍＡ、最大スキャン画像枚数は例えば１２０枚に規定することを示している。また、低騒音モードでは、リレーＲ１をＯＦＦ、Ｒ２をＯＮとし、設定可能な最大Ｘ線管電流は例えば３００ｍＡ、最大スキャン画像枚数は例えば３５枚に制限することを示している。
【００３５】
図１１は、上記１５個の排気口用ファンモータを３段階のモードで制御することを可能にするための、別の形態による接続図である。図１１において、両端列にある計６個のファンモータからなるファンモータブロック１７ａ１と、中央部の９個のファンモータのうち上端行および下端行にある計６個のファンモータからなるファンモータブロック１７ａ２と、中央部の９個のファンモータのうち中間行にある３個のファンモータからなるファンモータブロック１７ａ３とにグループ化する。そして、図示のように、ファンモータブロック１７ａ１は、リレーＲ１を介して電源に接続され、ファンモータブロック１７ａ２は、リレーＲ２を介して電源に接続されている。また、ファンモータブロック１７ａ３は、リレーＲ３を介して電源に接続されている。かかる構成によれば図９と同様に、リレーＲ１乃至Ｒ３の各々のＯＮ／ＯＦＦによって、対応するファンモータブロックへの電源の供給／遮断を切り換え、各ファンモータの動作を制御することができる。
【００３６】
これら３つのリレーのＯＮ／ＯＦＦの組み合わせによって、例えば、「通常モード」、「中間モード」、および「低騒音モード」の、３つのモードを用意することができる。図１２は、この３つのモードの内容を示す騒音モードテーブルの一例を示す図である。騒音モード記憶領域の内容“００”、“０１”、“１０”（いずれも２進値）は各々、通常モード、中間モード、低騒音モードに対応している。通常モードでは、リレーＲ１、Ｒ２、Ｒ３をいずれもＯＮとし、設定可能な最大Ｘ線管電流は例えば４４０ｍＡ、最大スキャン画像枚数は例えば１２０枚に規定することを示す。中間モードでは、リレーＲ１をＯＦＦ、Ｒ２およびＲ３をＯＮとし、設定可能な最大Ｘ線管電流は例えば３６０ｍＡ、最大スキャン画像枚数は例えば６０枚に制限することを示す。また、低騒音モードでは、リレーＲ１およびＲ２をＯＦＦ、Ｒ３をＯＮとし、設定可能な最大Ｘ線管電流は例えば３００ｍＡ、最大スキャン画像枚数は例えば３５枚に規定することを示す。
【００３７】
以上の接続および騒音モードテーブルを使用して、図３乃至５に示した処理手順に従えば、リレーのオン／オフ動作の組み合わせによる比較的簡単な構成によって、本発明を実現することができる。
【００３８】
なお、実施形態におけるＸ線ＣＴシステムの制御のほとんどは操作コンソール２００において行った。操作コンソール２００の構成自体は、汎用の情報処理装置（ワークステーションやパーソナルコンピュータ等）で実現できるものであるので、ソフトウェアを同装置にインストールし、それでもって実現することも可能である。
【００３９】
つまり、本発明の目的は、前述した実施形態の機能を実現するソフトウェアのプログラムコードを記録した記憶媒体（または記録媒体）を、システムあるいは装置に供給し、そのシステムあるいは装置のコンピュータ（またはCPUやMPU）が記憶媒体に格納されたプログラムコードを読み出し実行することによっても実現できるものである。この場合、記憶媒体から読み出されたプログラムコード自体が前述した実施形態の機能を実現することになり、そのプログラムコードを記憶した記憶媒体は本発明を構成することになる。また、コンピュータが読み出したプログラムコードを実行することにより、前述した実施形態の機能が実現されるだけでなく、そのプログラムコードの指示に基づき、コンピュータ上で稼働しているオペレーティングシステム(OS)などが実際の処理の一部または全部を行い、その処理によって前述した実施形態の機能が実現される場合も含まれる。
【００４０】
本発明を上記記憶媒体に適用する場合、その記憶媒体には、先に説明した（図３乃至図５に示す）フローチャートに対応するプログラムコードが格納されることになる。
【００４１】
【発明の効果】
以上説明したように、本発明によれば、システムの安全性を確保しながら、発生する騒音レベルを制御することが可能なＸ線ＣＴシステムおよびその操作コンソール並びにそれらの制御方法および記憶媒体を提供することができる。
【図面の簡単な説明】
【図１】実施形態のＸ線ＣＴシステムのブロック構成図である。
【図２】騒音モードテーブルの一例を示す図である。
【図３】実施形態における診断プログラムによりスキャンを行うまでの処理の概略を示すフローチャートである。
【図４】実施形態における騒音モード設定の処理を示すフローチャートである。
【図５】実施形態のスキャン設定の処理を示すフローチャートである。
【図６】騒音モード選択画面の一例を示す図である。
【図７】スキャン設定画面の一例を示す図である。
【図８】他の実施形態に係るガントリカバーの上面図である。
【図９】他の実施形態に係る排気口用ファンモータの接続形態の一例を示す図である。
【図１０】他の実施形態に係る騒音モードテーブルの一例を示す図である。
【図１１】他の実施形態に係る排気口用ファンモータの接続形態の一例を示す図である。
【図１２】他の実施形態に係る騒音モードテーブルの一例を示す図である。
【図１】
0004522551.tif 000002
【図２】
0004522551.tif 000003
【図３】
0004522551.tif 000004
【図４】
0004522551.tif 000005
【図５】
0004522551.tif 000006
【図６】
0004522551.tif 000007
【図７】
0004522551.tif 000008
【図８】
0004522551.tif 000009
【図９】
0004522551.tif 000010
【図１０】
0004522551.tif 000011
【図１１】
0004522551.tif 000012
【図１２】
0004522551.tif 000013